(57)【要約】【課題】  楽器本体と側板とを嵌合させ易く、組立作業性の良い鍵盤楽器を提供する。【解決手段】  側面に第１嵌合凸部１０２と、これよりも凹んでいる第１嵌合凹部１０３と、これらの間に設けられた第１ガイド部１０４と、を有する第１嵌合部１０１を備える楽器本体２と、この楽器本体２の側面を支持する側板４側に設けられ、第１嵌合凹部１０３に対応する第２嵌合凸部２５１と、第１嵌合凸部１０２に対応する第２嵌合凹部２５２と、これらの間に設けられて第１ガイド部１０４に対応する第２ガイド部２５３と、を有する第２嵌合部２５を備える側板４と、を備え、側板４における後ろ側の第２嵌合凹部２５２の上下方向の長さは、側板４における前側の第２嵌合凹部２５２の上下方向の長さより長い。従って、楽器本体２の前端部をスタンド３の側板４間に余裕をもって容易に挿入させることができる。【選択図】        図１３
2018205469.tif 000002
【特許請求の範囲】
【請求項１】
少なくとも一側面に第１嵌合凸部と、前記第１嵌合凸部より凹んでいる第１嵌合凹部と、前記第１嵌合凸部及び前記第１嵌合凹部の間に設けられている第１ガイド部と、を有する第１嵌合部を備える楽器本体と、
前記楽器本体の前記一側面を支持する側板側に設けられ、前記第１嵌合凹部に対応する第２嵌合凸部と、前記第１嵌合凸部に対応する第２嵌合凹部と、前記第２嵌合凸部及び前記第２嵌合凹部の間に設けられ、前記第１ガイド部に対応する第２ガイド部と、を有する第２嵌合部を備える側板と、
を備え、
前記側板における後ろ側の前記第２嵌合凹部の上下方向の長さは、前記側板における前側の前記第２嵌合凹部の上下方向の長さより長いことを特徴とする鍵盤楽器。
【請求項２】
請求項１に記載の鍵盤楽器において、前記側板における前記第２嵌合部の後ろ側は開放されていることを特徴とする鍵盤楽器。
【請求項３】
請求項１または請求項２に記載の鍵盤楽器において、前記楽器本体における前記第１嵌合部の前側の上下方向の長さは、前記第２嵌合凹部の後ろ側の上下方向の長さより短いことを特徴とする鍵盤楽器。
【請求項４】
請求項１〜請求項３のいずれかに記載の鍵盤楽器において、前記側板における前記第２嵌合部の上端は、前記楽器本体の前記第１嵌合部と嵌合されている状態において、前記第１嵌合部と接触している第１上端部と、前記第１上端部より後ろ側に配置され、前記第１嵌合部と接触していない第２上端部と、を有していることを特徴とする鍵盤楽器。
【請求項５】
請求項１〜請求項４のいずれかに記載の鍵盤楽器において、前記側板の前記第２嵌合部の下側に補助リブが設けられたガイドレールを有することを特徴とする鍵盤楽器。
【請求項６】
請求項１〜請求項５のいずれかに記載の鍵盤楽器において、前記楽器本体における前記第１嵌合凹部の前端の左右方向の長さは、前記第１嵌合凹部の後端の左右方向の長さより短いことを特徴とする鍵盤楽器。
【請求項７】
請求項１〜請求項６のいずれかに記載の鍵盤楽器において、前記第１嵌合凹部には、前後方向に沿って設けられた複数の横リブと、上下方向に沿って設けられた複数の縦リブとが、格子状に設けられ、前記複数の横リブは前記複数の縦リブよりも前記楽器本体の側面の外側に向けて突出して設けられていることを特徴とする鍵盤楽器。
【発明の詳細な説明】
【技術分野】
【０００１】
この発明は、電子鍵盤楽器などの鍵盤楽器に関する。
【背景技術】
【０００２】
例えば、電子鍵盤楽器においては、特許文献１に記載されているように、鍵盤ユニットを搭載した楽器本体と、この楽器本体を支持するスタンドと、を備えた構造のものが知られている。
【先行技術文献】
【特許文献】
【０００３】
【特許文献１】特開２０１３−４７８３２号公報
【０００４】
この種の電子鍵盤楽器のスタンドは、互いに対向する一対の側板と、これら一対の側板の後部側に取り付けられた後板と、を備えている。この場合、一対の側板の各対向面における上部には、楽器本体の両側部がスライド可能に嵌合するガイド凹部が、側板の前端部から後部側に向けて設けられている。このガイド凹部は、その前端部における内側上部の角部と内側前端部の角部とに面取り部が設けられている。
【０００５】
この場合、この電子鍵盤楽器は、楽器本体の天板における両側の下側に位置する側部の上部に突起を設け、側板のガイド凹部内の上面にガイド規制溝を前後方向に沿って設け、スタンドのガイド凹部に楽器本体の両側部を挿入させる際に、楽器本体の側部の突起を側板のガイド凹部内の上面に設けられたガイド規制溝に挿入させてスライドさせることにより、一対の側板に対する楽器本体の脱落を防ぐようになっている。
【発明の概要】
【発明が解決しようとする課題】
【０００６】
しかしながら、このような電子鍵盤楽器では、スタンドの一対の側板に設けられた各ガイド凹部に楽器本体の両側部を差し込む際に、一対の側板の互いに対向する各ガイド凹部間の長さと楽器本体の両側部の外面間の長さとが同じ長さであるから、ガイド凹部の前端部における内側上部の角部と内側前端部の角部とに面取り部を設けても、一対の側板の各ガイド凹部に楽器本体の両側部を容易に挿入させることができないばかりか、楽器本体の両側部の各突起を各ガイド凹部内の各ガイド規制溝に挿入させなければならないため、組立作業性が悪いという問題がある。
【０００７】
この発明が解決しようとする課題は、楽器本体と側板とを嵌合させ易く、組立作業性の良い鍵盤楽器を提供することである。
【課題を解決するための手段】
【０００８】
この発明は、少なくとも一側面に第１嵌合凸部と、前記第１嵌合凸部より凹んでいる第１嵌合凹部と、前記第１嵌合凸部及び前記第１嵌合凹部の間に設けられている第１ガイド部と、を有する第１嵌合部を備える楽器本体と、前記楽器本体の前記一側面を支持する側板側に設けられ、前記第１嵌合凹部に対応する第２嵌合凸部と、前記第１嵌合凸部に対応する第２嵌合凹部と、前記第２嵌合凸部及び前記第２嵌合凹部の間に設けられ、前記第１ガイド部に対応する第２ガイド部と、を有する第２嵌合部を備える側板と、を備え、前記側板における後ろ側の前記第２嵌合凹部の上下方向の長さは、前記側板における前側の前記第２嵌合凹部の上下方向の長さより長いことを特徴とする鍵盤楽器である。
【発明の効果】
【０００９】
この発明によれば、楽器本体と側板とを嵌合させ易くすることができ、組立作業性の向上を図ることができる。
【図面の簡単な説明】
【００１０】
【図１】この発明を適用した鍵盤楽器の一実施形態を示した斜視図である。
【図２】図１に示された鍵盤楽器の正面図である。
【図３】図２に示された鍵盤楽器を示し、（ａ）はその平面図、（ｂ）はその右側面図である。
【図４】図１に示された鍵盤楽器の楽器本体を示し、（ａ）はその正面図、（ｂ）はその平面図、（ｃ）はその左側面図である。
【図５】図１に示された鍵盤楽器のＡ−Ａ矢視において、鍵盤蓋を閉じた状態を示した要部の拡大断面図である。
【図６】図５に示された鍵盤楽器において、鍵盤蓋を開いた状態を示した要部の拡大断面図である。
【図７】図１に示された鍵盤楽器において、楽器本体をスタンドに背面側から取り付ける状態を示した分解斜視図である。
【図８】図７に示された鍵盤楽器のスタンドにおける左側に位置する側板の嵌合凹部を示した要部の拡大斜視図である。
【図９】図７に示された鍵盤楽器の楽器本体における左側の側壁部を示した要部の拡大斜視図である。
【図１０】図９に示された左側の側壁部を前側斜め下方から見た拡大斜視図である。
【図１１】図８に示された側板に複数の部材を取り付ける状態を示し、（ａ）は後側固定部材の係止部、位置規制部材のフック部、および前側固定部材における側板固定部の補強板を側板に取り付ける状態を示した分解斜視図、（ｂ）は側板にガイドレールを取り付けて側板固定部を組み立てる状態を示した分解斜視図である。
【図１２】図１０に示された楽器本体における前側固定部材の本体固定部を示し、（ａ）はその本体固定部を分解して示した拡大斜視図、（ｂ）はその本体固定部を組み立てた状態を示した拡大斜視図である。
【図１３】図７に示されたスタンドの嵌合凹部に楽器本体の側壁部を挿入する状態を示した要部の拡大図である。
【図１４】図１３に示された鍵盤楽器において、スタンドの嵌合凹部に楽器本体の側壁部を嵌合させた状態を示した要部の拡大図である。
【図１５】図１４に示された鍵盤楽器における各要部の断面を示し、（ａ）はそのＢ−Ｂ矢視における要部を示した拡大断面図、（ｂ）はそのＣ−Ｃ矢視における要部を示した拡大断面図、（ｃ）はそのＤ−Ｄ矢視における要部を示した拡大断面図である。
【発明を実施するための形態】
【００１１】
以下、図１〜図１５を参照して、この発明を適用した鍵盤楽器の一実施形態について説明する。
この鍵盤楽器は、図１〜図３に示すように、鍵盤ユニット１が搭載された楽器本体２と、この楽器本体２の両側部を支持する一対の側板４を有するスタンド３と、を備えている。
【００１２】
スタンド３は、図１〜図３に示すように、一対の側板４と、これら一対の側板４の後端部間に架け渡された後板５と、一対の側板４の下部間に架け渡されたペダル部材６と、を備えている。この場合、ペダル部材６には、その長手方向における中間部に複数のフットペダル７が設けられている。
【００１３】
楽器本体２は、図１〜図６に示すように、横長のほぼ箱形状に形成されている。すなわち、この楽器本体２は、横方向に長い帯板状の底板８と、この底板８の前端部に起立して設けられた前板９と、底板８の長手方向である左右方向の両端部に起立して設けられた一対の側壁部１０と、底板８の後端部に起立して設けられた背板１１と、この背板１１と一対の側壁部１０との各上端部に設けられた天板１２と、を備えている。
【００１４】
この場合、前板９は、図１〜図６に示すように、その高さが背板１１の高さよりも低く形成されている。天板１２は、その前後方向の長さが底板８の前後方向の長さよりも短く形成されている。また、この天板１２は、その長手方向である左右方向に位置する両端部が一対の側壁部１０から突出し、この突出した両端部がスタンド３の一対の側板４上に配置されるようになっている。これにより、楽器本体２は、天板１２の前側が上方に開放された横長のほぼ箱形状に形成されている。
【００１５】
この楽器本体２の内部には、図１〜図６に示すように、鍵盤ユニット１が楽器本体２の前側上方に露出した状態で設けられている。この鍵盤ユニット１は、図５および図６に示すように、楽器本体２の底板８上に配置された鍵盤シャーシ１３と、この鍵盤シャーシ１３上に配列された複数の鍵１４と、これら複数の鍵１４それぞれの押鍵操作に応じて各鍵１４それぞれにアクション荷重を付与するハンマー部材１５と、を備えている。
【００１６】
また、この楽器本体２には、図５および図６に示すように、鍵盤ユニット１を開閉可能に覆う鍵盤蓋１６が設けられている。この鍵盤蓋１６は、前蓋１７と後蓋１８とを備え、前蓋１７の後端部と後蓋１８の前端部とが蝶番１９によって折り曲げ可能に連結されている。この場合、前蓋１７の前端部には、一対の側壁部１０の各内面にそれぞれ設けられた第１ガイド溝１０ａに沿って移動する前ガイド軸１７ａが設けられている。
【００１７】
また、後蓋１８の前端部には、図５および図６に示すように、一対の側壁部１０それぞれに設けられた各第１ガイド溝１０ａに沿って移動する後ガイド軸１８ａが設けられている。この後蓋１８の後端部には、支持アーム２０の一端部が連結軸２０ａによって回転可能に取り付けられている。この支持アーム２０は、その他端部が側壁部１０の内面に設けられた支持軸２１に回転可能に取り付けられ、この支持軸２１を中心に上下方向に回転するようになっている。
【００１８】
この場合、支持アーム２０には、図５および図６に示すように、側壁部１０の内面に支持軸２１を中心とする円弧状に設けられた第２ガイド溝１０ｂに沿って移動する補助ガイド軸２２が設けられている。この補助ガイド軸２２には、支持軸２１を中心とする円弧状のラック２４に噛み合って転動する歯車２３が回転可能に取り付けられている。
【００１９】
これにより、この鍵盤蓋１６は、図５および図６に示すように、前蓋１７と後蓋１８とを楽器本体２の前側に向けて引き出す際に、前蓋１７の前ガイド軸１７ａと後蓋１８の後ガイド軸１８ａとが側壁部１０の第１ガイド溝１０ａに沿って移動し、これに伴って支持アーム２０が支持軸２１を中心に反時計回りに回転して後蓋１８の後端部を押し上げる。これにより、鍵盤蓋１６は、図５に示すように、鍵盤ユニット１の上側に配置されて鍵盤ユニット１を覆うようになっている。
【００２０】
また、この鍵盤蓋１６は、図６に示すように、前蓋１７と後蓋１８とを楽器本体２の後部側に向けて移動させると、前蓋１７の前ガイド軸１７ａと後蓋１８の後ガイド軸１８ａとが側壁部１０の第１ガイド溝１０ａに沿って移動しながら、蝶番１９で後蓋１８が前蓋１７に対して後部下りに徐々に折れ曲がると共に、支持アーム２０が支持軸２１を中心に時計回りに回転して後蓋１８の後端部を引き下げるようになっている。
【００２１】
これにより、鍵盤蓋１６は、図６に示すように、蝶番１９で折れ曲がった後蓋１８が背板１１に接近してほぼ平行に垂下され、前蓋１７が天板１２の下側にほぼ平行な状態で配置されることにより、鍵盤ユニット１を前側上方に露出させるようになっている。なお、楽器本体２の底部８の下面には、図２、図４〜図６に示すように、スピーカ部２９が左右両側に位置して設けられている。また、この楽器本体２の天板１２上には、譜面立て１２ａが設けられている。
【００２２】
ところで、楽器本体２の一対の側壁部１０は、図７、図９、図１０および図１３に示すように、合成樹脂によって形成されている。この側壁部１０は、その外側部に第１嵌合部１０１が設けられている。この第１嵌合部１０１は、側壁部１０の外側部の上部側に設けられた第１嵌合凸部１０２と、この第１嵌合凸部１０２より凹んだ状態で第１嵌合凸部１０２の下部側に設けられた第１嵌合凹部１０３と、第１嵌合凸部１０２及び第１嵌合凹部１０３の間に設けられた第１ガイド部１０４と、を備えている。
【００２３】
また、スタンド３の一対の側板４における互いに対向する対向面には、図７、図８および図１３に示すように、楽器本体２の一対の側壁部１０に設けられた各第１嵌合部１０１がスライド可能に嵌合する凹形状の第２嵌合部２５がそれぞれ設けられている。この凹形状の第２嵌合部２５は、側壁部１０の第１嵌合凹部１０３に対応する第２嵌合凸部２５１と、側壁部１０の第１嵌合凸部１０２に対応する第２嵌合凹部２５２と、第２嵌合凸部２５１及び第２嵌合凹部２５２の間に設けられ、側壁部１０の第１ガイド部１０４に対応する第２ガイド部２５３と、を備えている。
【００２４】
この場合、側板４の凹形状の第２嵌合部２５は、図７および図８に示すように、側板４の後端部から前側に向けて設けられている。すなわち、この第２嵌合部２５は、側板４の前端側に位置する前端部２５ｃが塞がれた状態で、側板４の後端側に位置する後端部が開放されている。この場合、第２嵌合部２５は、側板４の厚み方向の深さが楽器本体２の側壁部１０の厚みとほぼ同じ大きさに形成されている。
【００２５】
すなわち、第２嵌合部２５の第２嵌合凸部２５１は、図７および図８に示すように、側板４の厚み方向の深さが、側板４の厚みのほぼ半分程度の深さで浅く形成されている。これにより、第２嵌合凸部２５１は、側壁部１０の第１嵌合凹部１０３が嵌合するようになっている。第２嵌合部２５の第２嵌合凹部２５２は、側板４の厚み方向の深さが、第２嵌合凸部２５１の深さよりも深く形成されている。これにより、第２嵌合凹部２５２は、側壁部１０の第１嵌合凸部１０２が嵌合するようになっている。
【００２６】
また、この第２嵌合部２５は、図８に示すように、その後部側における内部の上下方向の長さ（間口）が、前部側における内部の上下方向の長さよりも長く（広く）形成されている。すなわち、第２嵌合部２５の第２嵌合凹部２５２は、その後部側における上下方向の長さ（間口）が、前部側における上下方向の長さよりも長く（広く）形成されている。
【００２７】
また、この第２嵌合部２５は、図８に示すように、第２嵌合凸部２５１と第２嵌合凹部２５２との間に設けられた第２ガイド部２５３を備えている。この第２ガイド部２５３は、その前部側が第２嵌合部２５の上下方向におけるほぼ中間部に位置し、後部側がその前部側よりも低い位置で、第２嵌合部２５の前後方向におけるほぼ中間部に段差部が設けられ、全体が段差状に設けられている。
【００２８】
さらに、この第２嵌合部２５の第２嵌合凹部２５２の上端は、図８、図１３および図１４に示すように、第２嵌合部２５に楽器本体２の第１嵌合部１０１が嵌合されている状態において、第１嵌合部１０１と接触している第１上端部２５ｄと、第１上端部２５ｄより後ろ側に配置され、第１嵌合部１０１と接触していない第２上端部２５ｅと、を有している。
【００２９】
また、側板４には、図８に示すように、第２嵌合部２５の後部側に位置する上部が側板４の厚みよりも少し薄い金具取付部２５ａが設けられている。この金具取付部２５ａの後端部に位置する箇所の側板４は、金具取付部２５ａの厚みよりも更に薄く、且つ第２嵌合凹部２５２と同じ深さで形成されている。
【００３０】
これにより、第２嵌合部２５は、図７、図８、図１３および図１４に示すように、楽器本体２の側壁部１０の第１嵌合部１０１が嵌合した際に、後部側に位置する上部に設けられた金具取付部２５ａに側壁部１０の第１嵌合凸部１０２の後部に位置する上端部が配置された状態で、金具取付部２５ａの上端面に側壁部１０の上部に設けられた天板１２が配置され、後端部の開放された箇所にその上端部に亘って背板１１が配置される。このため、この第２嵌合部２５は、一対の側壁部１０が外部から見えずに隠れるようになっている。
【００３１】
また、楽器本体２の側壁部１０の第１嵌合部１０１は、図９および図１０に示すように、その外周の形状が側板４の第２嵌合部２５の内周の形状とほぼ同じ形状に形成されている。この第１嵌合部１０１は、その第１嵌合凸部１０２の厚みが前端部から後端部に亘って第２嵌合部２５の第２嵌合凹部２５２の厚み方向の深さとほぼ同じ大きさで形成され、第１嵌合凹部１０３の厚みが前端部から後端部に亘って第２嵌合凸部２５１の厚みより少し薄く形成されている。
【００３２】
また、この第１嵌合凹部１０３は、図７、図９および図１０に示すように、その前部側が先細の形状に形成されている。すなわち、第１嵌合部１０１は、その前部側の上下方向の長さが側板４の第２嵌合部２５における後端部側の上下方向の長さよりも短く形成されている。また、この第１嵌合凹部１０３の外側面には、傾斜状の側面ガイド部２６が設けられている。
【００３３】
この側面ガイド部２６は、図１０に示すように、側壁部１０の第１嵌合部１０１の第１嵌合凹部１０３における前部側の厚み方向の長さ（厚み）が、その前側部における後部つまり前後方向におけるほぼ中間部から側壁部１０の第１嵌合部１０１の前端部に向けて第２嵌合凸部２５１における厚み方向の長さ（深さ）よりも次第に短く（薄く）なるように傾斜している。
【００３４】
また、側壁部１０の第１嵌合部１０１の上端面、つまり第１嵌合凸部１０２の上端面には、図７、図９および図１０に示すように、傾斜状の上辺ガイド部２７が設けられている。この上辺ガイド部２７は、第２嵌合部２５の第２嵌合凹部２５２に嵌合する側壁部１０の第１嵌合部１０１の上下方向の長さが、第１嵌合部１０１の前側部における後部つまり前後方向における中間部よりも前側に位置する箇所から第１嵌合部１０１の前端部に向けて次第に短くなるように傾斜している。これにより、一対の側壁部１０は、その前側部が先細形状に形成されている。
【００３５】
このため、この楽器本体２は、図７、図１３および図１４に示すように、側壁部１０の第１嵌合部１０１をスタンド３の側板４の第２嵌合部２５に挿入する際に、側壁部１０の前側部が先細の形状、つまり第２嵌合部２５における後端部の上下方向の長さが側壁部１０の第１嵌合部１０１における前端部の上下方向の長さよりも長く形成されていることにより、第１嵌合部１０１の前部側が第２嵌合部２５の後部側に余裕をもって挿入されるようになっている。
【００３６】
すなわち、この楽器本体２は、図７、図１３および図１４に示すように、側壁部１０の第１嵌合部１０１の前部側における外側面に設けられた傾斜状の側面ガイド部２６によって、側壁部１０の前端部の厚みが薄く、かつ側壁部１０の前部側における上端部に設けられた傾斜状の上辺ガイド部２７によって、側壁部１０の第１嵌合部１０１の前部側における上下方向の長さが第２嵌合部２５の後端部側における上下方向の長さよりも短くなっている。
【００３７】
このため、楽器本体２は、図１３および図１４に示すように、スタンド３の一対の側板４間にその後部側から挿入される際に、一対の側壁部１０における各第１嵌合部１０１の前部側が一対の側板４における各第２嵌合部２５の後部側に余裕をもって挿入されるようになっている。この場合、第２嵌合部２５は、第２嵌合凹部２５２の内部における前部側に位置する第１上端部２５ｄに、側壁部１０の上端面の上辺ガイド部２７と同じ形状の傾斜部２５ｂが形成されている。
【００３８】
これにより、第２嵌合部２５は、図１４に示すように、その内部に側壁部１０の第１嵌合部１０１が嵌合した際に、第２嵌合部２５内の第１上端部２５ｄに側壁部１０の上端部が密接して、第２嵌合部２５の傾斜部２５ｂに側壁部１０の上辺ガイド部２７が密接すると共に、第２嵌合部２５内の前端部２５ｃに側壁部１０の前端部が当接または接近するようになっている。
【００３９】
また、この第２嵌合部２５は、図１４に示すように、その内部に側壁部１０の第１嵌合部１０１が嵌合した際に、後側上部の金具取付部２５ａの下面である第２上端部２５ｅに側壁部１０の第１嵌合凸部１０２の後部に位置する上端部が接触せずに配置されて、後端部の開放された箇所にその下端部から上端部に亘って背板１１が配置されて、開放された後端部を塞ぐようになっている。
【００４０】
この場合、側壁部１０の第１嵌合部１０１は、図９、図１０および図１３に示すように、第１嵌合凸部１０２と第１嵌合凹部１０３との間に設けられて、第２ガイド部２５３に対応する第１ガイド部１０４を備えている。この第１ガイド部１０４は、その前部側が第１嵌合部１０１の上下方向におけるほぼ中間部よりも少し高い位置で、後部側が前部側よりも低い位置で、第１嵌合部１０１の前後方向におけるほぼ中間部に段差部が設けられ、全体が第２ガイド部２５３と同じ段差状に設けられている。
【００４１】
さらに、これら一対の側壁部１０の各外側面それぞれには、図９および図１０に示すように、側壁部１０の前後方向に沿って設けられて側壁部１０を補強する複数の横リブ２８ａと、側壁部１０の上下方向に沿って設けられて側壁部１０を補強する複数の縦リブ２８ｂとが、格子状に設けられている。この場合、側壁部１０における第１嵌合凹部１０３の前部側に位置する横リブ２８ａと縦リブ２８ｂとは、側面ガイド部２６の傾斜に沿って傾斜した状態で設けられている。
【００４２】
また、複数の横リブ２８ａは、図９および図１０に示すように、その外部側に位置する各外端部が複数の縦リブ２８ｂの外部側に位置する各外端部よりも、側壁部１０の外部側に向けて突出して設けられている。このため、側壁部１０は、図１３に示すように、その第１嵌合部１０１が側板４の第２嵌合部２５に挿入する際に、複数の縦リブ２８ｂが第２嵌合部２５の内面に接触することなく、複数の横リブ２８ａが第２嵌合部２５の内面に接触してスライドすることにより、円滑に第２嵌合部２５内に挿入するようになっている。
【００４３】
一方、楽器本体２とスタンド３とには、図７〜図１１に示すように、一対の側板４それぞれの第２嵌合部２５に楽器本体２の両側に位置する一対の側壁部１０の第１嵌合部１０１をスライドさせて嵌合させる際に、第２嵌合部２５に対して楽器本体２の一対の側壁部１０の第１嵌合部１０１をガイドするガイド部材３０が設けられている。
【００４４】
このガイド部材３０は、図７〜図１１に示すように、一対の側壁部１０それぞれが嵌合する第２嵌合部２５の第２嵌合凸部２５１と、この第２嵌合凸部２５１との間にガイド溝３２を形成するガイドレール３３と、を備えている。ガイドレール３３は、一対の側板４それぞれにその前後方向に沿ってビス３０ａによって取り付けられている。これにより、ガイドレール３３は、第２嵌合凸部２５１との間に形成されたガイド溝３２によって、側壁部１０の下部にその前後方向に沿って設けられたガイド突起３１をガイドするようになっている。
【００４５】
この場合、ガイドレール３３の上部には、図８および図１１（ｂ）に示すように、補助リブ３３ａが一対の側板４の対向面側に向けて突出して設けられている。この補助リブ３３ａは、楽器本体２を一対の側板４間に配置する際に、楽器本体２の不用意な落下を防いで安全性を確保するためのものである。また、このガイドレール３３の上端面には、ガイド溝３２を形成するためのレール突起片３３ｂがガイドレール３３に沿って設けられている。
【００４６】
また、楽器本体２とスタンド３とには、図７〜図１１に示すように、楽器本体２の左右両側に位置する各前側下部とこれに対応する一対の側板４の各前側部とを楽器本体２およびスタンド３の前側から固定する前側固定部材３４が設けられている。この前側固定部材３４は、スタンド３の一対の側板４に対して楽器本体２をその前後方向とこれと直交する左右方向とに固定するようになっている。
【００４７】
すなわち、この前側固定部材３４は、図７〜図１５（ａ）に示すように、楽器本体２の底板８の下面における左右両側に位置する各前側部それぞれに設けられた本体固定部３５と、これに対応する一対の側板４の各前側部それぞれに設けられた側板固定部３６と、これら側板固定部３６と本体固定部３５とを楽器本体２の前側から後部側方に向けてそれぞれ斜めに締結する複数の前側ねじ部材３７と、を備えている。
【００４８】
側板固定部３６は、図８、図１１、図１３および図１５（ａ）に示すように、ガイド部材３０のガイドレール３３に設けられたレール固定体３８と、一対の側板４に設けられた補強板３９と、を備えている。レール固定体３８は、スタンド３の後部側方に向けて傾いた状態で、ガイドレール３３の前側部に設けられている。
【００４９】
補強板３９は、図８、図１１、図１３および図１５（ａ）に示すように、金属板の後端部をスタンド３の後部側方に向けて斜めに折り曲げたものであり、一対の側板４にビス３９ｂによって取り付けられている。すなわち、この補強板３９は、その斜めに折り曲げられた部分がガイドレール３３に設けられた開口部３３ｃを通してレール固定体３８の後面に、一対の側壁部１０の後部側方に向けて傾いた状態で配置されている。
【００５０】
この場合、レール固定体３８には、図１５（ａ）に示すように、前側ねじ部材３７が楽器本体２の前側から後部側方に向けて斜めに挿入する第１挿入孔３８ａが設けられている。また、補強板３９には、前側ねじ部材３７が挿入する第２挿入孔３９ａが、レール固定体３８の第１挿入孔３８ａと同一軸上に対応して設けられている。
【００５１】
また、前側固定部材３４の本体固定部３５は、図１０、図１２〜図１５（ａ）に示すように、楽器本体２における底板８の前側下面に設けられた楽器固定体４０と、楽器本体２の後部側方に向けて傾いた状態で楽器固定体４０内に配置された金属製のねじ固定片４１と、を備えている。楽器固定体４０は、図１２（ａ）および図１２（ｂ）に示すように、楽器本体２の底部８の下面に取り付けられる取付部４２と、この取付部４２の下面に一体に設けられた筒部４３と、を備えている。
【００５２】
この楽器固定体４０の筒部４３は、図１２（ａ）および図１２（ｂ）に示すように、その上部が取付部４２の開口部４２ａに対応して取付部４２の下面に設けられている。また、この筒部４３は、その前部がレール固定体３８と同様に楽器本体２の後部側方に向けて傾いた状態で取付部４２に設けられている。
【００５３】
ねじ固定片４１は、図１２（ａ）および図１２（ｂ）に示すように、金属板の上部４１ｂを楽器本体２の前側に向けて折り曲げたものである。このねじ固定片４１は、取付部４２の開口部４２ａから筒部４３内に挿入された際に、折り曲げられた上部４１ｂが取付部４２の装着凹部４２ｂ内に配置され、この状態で筒部４３の内面に配置されるようになっている。
【００５４】
この場合、筒部４３の前端部には、図１２および図１５に示すように、前側ねじ部材３７が楽器本体２の前側から後部側方に向けて斜めに挿入する第３挿入孔４３ａが設けられている。また、ねじ固定片４１には、前側ねじ部材３７が螺合するねじ孔４１ａが、楽器固定体４０の第３挿入孔４３ａと同一軸上に対応して設けられている。
【００５５】
これにより、前側固定部材３４は、図１３〜図１５（ａ）に示すように、一対の側板４それぞれの第２嵌合部２５に楽器本体２の左右両側に位置する一対の側壁部１０が側板４の後端部側から挿入されて嵌合した際に、一対の側板４それぞれに設けられた各側板固定部３６の各補強板３９に、楽器本体２に設けられた各本体固定部３５の楽器固定体４０が当接または接近して配置されるようになっている。
【００５６】
この場合、本体固定部３５と側板固定部３６とが互いに対向する対向面は、図１５（ａ）に示すように、楽器本体２の前側から後部側方に向けて斜めに傾いている。また、前側ねじ部材３７は、楽器本体２の前側から後部側方に向けて斜めに傾けた状態で、本体固定部３５の第１挿入孔３８ａ、第２挿入孔３９ａ、側板固定部３６の第３挿入孔４３ａ、ねじ孔４１ａに挿通するようになっている。
【００５７】
また、この前側固定部材３４は、図１４および図１５（ａ）に示すように、各側板固定部３６に各本体固定部３５が当接または接近した際に、各側板固定部３６それぞれのレール固定体３８に設けられた第１挿入孔３８ａと、各側板固定部３６それぞれの補強板３９に設けられた第２挿入孔３９ａと、各本体固定部３５それぞれの楽器固定体４０の筒部４３に設けられた第３挿入孔４３ａと、各本体固定部３５それぞれのねじ固定片４１に設けられたねじ孔４１ａとが、前部から後部側方に向けて傾いた状態で同一軸上に対応して配置される。
【００５８】
このため、この前側固定部材３４は、図１５（ａ）に示すように、楽器本体２およびスタンド３の前側から前側ねじ部材３７を、レール固定体３８の第１挿入孔３８ａと、補強板３９の第２挿入孔３９ａと、楽器固定体４０の筒部４３の第３挿入孔４３ａとに挿入させ、この挿入された前側ねじ部材３７をねじ固定片４１のねじ孔４１ａに螺合させて締め付けると、楽器固定体４０が側板固定部３６に引き寄せられることにより、楽器本体２をスタンド３に固定するようになっている。
【００５９】
この場合、前側固定部材３４は、図１４および図１５（ａ）に示すように、楽器固定体４０が側板固定部３６に引き寄せられて押し付けられる際に、前側ねじ部材３７が楽器固定体４０と側板固定部３６とを前側から後部側方に向けて斜めに締結することにより、スタンド３に対する楽器本体２の前後方向を固定すると共に、スタンド３に対する楽器本体２の左右方向も同時に固定するようになっている。
【００６０】
一方、楽器本体２とスタンド３とは、図７、図１３〜図１５に示すように、楽器本体２の両側に位置する各側壁部１０の各後端部とこれに対応する一対の側板４の各後端部とを楽器本体２の後方からそれぞれ固定する後側固定部材４４と、一対の側板４に設けられた各第２嵌合部２５内に対する楽器本体２の各側壁部１０の位置を規制する位置規制部材４５と、を備えている。
【００６１】
後側固定部材４４は、図７、図１３〜図１５（ｂ）に示すように、一対の側板４の各後側上部それぞれに設けられた係止部４６と、楽器本体２の両側に位置する各側壁部１０の後側上部それぞれに設けられて係止部４６に嵌合する嵌合部４７と、この嵌合部４７を係止部４６に嵌合させた状態で固定する後側ねじ部材４８と、を備えている。
【００６２】
係止部４６は、図８、図１１、図１３〜図１５（ｂ）に示すように、金属板の後端部をほぼＵ字形状に折り曲げ、この折り曲げられたほぼＵ字形状の箇所にねじ孔４６ａが設けられ、このほぼＵ字形状の箇所の凸部側を側板４の後方に向けた状態で、側板４の第２嵌合部２５の後側上部に設けられた金具取付部２５ａにビス４６ｂ（図１１（ｂ）参照）によって取り付けられている。
【００６３】
嵌合部４７は、図７、図１３〜図１５（ｂ）に示すように、楽器本体２の側壁部１０の後側上部にほぼＵ字形状に設けられている。この嵌合部４７は、ほぼＵ字形状の中心部にねじ挿入孔４７ａが設けられ、このほぼＵ字形状の部分の凹部側を楽器本体２の前側に向けて配置され、このほぼＵ字形状の部分に係止部４６が食い込んだ状態で嵌合するようになっている。
【００６４】
これにより、後側固定部材４４は、図１３〜図１５（ｂ）に示すように、一対の側板４それぞれの第２嵌合部２５に楽器本体２の左右両側に位置する一対の側壁部１０が一対の側板４の後端部側から挿入されて嵌合された際に、一対の側板４の後部上側それぞれに設けられた各係止部４６が楽器本体２の一対の側壁部１０それぞれに設けられた各嵌合部４７に相対的に食い込んで嵌合するようになっている。
【００６５】
また、この後側固定部材４４は、図１３〜図１５（ｂ）に示すように、一対の側板４の各係止部４６が楽器本体２の一対の側壁部１０の各嵌合部４７に食い込んで嵌合した際に、各係止部４６に設けられた各ねじ孔４６ａと各嵌合部４７に設けられた各ねじ挿入孔４７ａとがほぼ水平な状態で同一軸上に対応するようになっている。
【００６６】
このため、この後側固定部材４４は、図１３〜図１５（ｂ）に示すように、各係止部４６の各ねじ孔４６ａと各嵌合部４７の各ねじ挿入孔４７ａとが同一軸上に対応した状態で、後側ねじ部材４８を楽器本体２の後方から各嵌合部４７のねじ挿入孔４７ａに挿入させ、この挿入された後側ねじ部材４８を各係止部４６のねじ孔４６ａに螺合させて締め付けることにより、一対の側壁部１０の各後部を一対の側板４の各後部に固定するようになっている。
【００６７】
一方、位置規制部材４５は、図７〜図１１、および図１３〜図１５（ｃ）に示すように、一対の側板４それぞれに設けられた各第２嵌合部２５の各前部の内面それぞれにビス５０ａによって取り付けられたフック部５０と、楽器本体２の両側に位置する一対の側壁部１０の各前端部それぞれに一体に設けられて各フック部５０それぞれに係合する係合部５１と、を備えている。
【００６８】
フック部５０は、図８、図１３〜図１５（ｃ）に示すように、金属板の先端をほぼコ字形状に折り曲げたものであり、このほぼコ字形状に折り曲げられた先端部を第２嵌合部２５内における前端部２５ｃに接触または接近させた状態で、第２嵌合部２５内にビス５０ａ（図１１（ｂ）参照）によって取り付けられている。
【００６９】
係合部５１は、図１０、図１３〜図１５（ｃ）に示すように、側壁部１０における前端部に設けられた薄肉部であり、この薄肉部の表面に複数のガイドリブ５１ａが前後方向に沿って櫛歯状に配列され、これら複数のガイドリブ５１ａによってガイドされてフック部５０に食い込んで係止されるようになっている。
【００７０】
これにより、位置規制部材４５は、図１３〜図１５（ｃ）に示すように、一対の側板４それぞれの第２嵌合部２５に楽器本体２の左右両側に位置する一対の側壁部１０が一対の側板４の後端部側から挿入されて嵌合された際に、楽器本体２の一対の側壁部１０それぞれに設けられた各係合部５１が一対の側板４それぞれに取り付けられた各フック部５０に食い込んで嵌合することにより、各第２嵌合部２５内に対する各側壁部１０の位置を規制するようになっている。
【００７１】
次に、このような鍵盤楽器の作用について説明する。
この鍵盤楽器を組み立てる場合には、予め、楽器本体２とスタンド３とを個別に組み立てる。すなわち、楽器本体２を組み立てる場合には、底板８の前端部に前板９を取り付け、この底板８の両側に一対の側壁部１０を取り付ける。
【００７２】
この状態で、楽器本体２内に鍵盤ユニット１および鍵盤蓋１６を組み付ける。そして、楽器本体２の底板８の後端部に背板１１を取り付け、この背板１１と一対の側壁部１０との各上部に天板１２を取り付ける。この後、楽器本体２の底板８の下面にスピーカ部２９を取り付ける。これに楽器本体２が組み立てられる。
【００７３】
一方、スタンド３を組み立てる場合には、一対の側板４を互いに対向させた状態で一対の側板４の後端部間に後板５を架け渡すと共に、一対の側板４の下部間にペダル部材６を架け渡す。このときには、予め、ペダル部材６に複数のフットペダル７を取り付ける。これにより、スタンド３が組み立てられる。
【００７４】
そして、このスタンド３に楽器本体２を取り付ける。このときには、予め、一対の側板４の対向面に、前側固定部材３４の側板固定部３６と、ガイド部材３０のガイドレール３３と、後側固定部材４４の係止部４６と、位置規制部材４５のフック部５０と、を取り付ける。この場合には、一対の側板４それぞれに設けられた各第２嵌合部２５の下側に位置する各側板４の対向面における前側部の両側それぞれに前側固定部材３４の補強板３９をそれぞれ取り付ける。
【００７５】
この状態で、前側固定部材３４の補強板３９をガイドレール３３の開口部３３ｃに挿入させた状態で、第２嵌合部２５の下側に位置する各側板４の対向面それぞれにガイドレール３３をビス３０ａによって取り付ける。これにより、ガイドレール３３のレール突起片３３ｂと第２嵌合部２５の内面との間にガイド溝３２が形成される。
【００７６】
この場合には、ガイドレール３３に設けられた前側固定部材３４のレール固定体３８の後面に補強板３９が配置されるので、この補強板３９によってレール固定体３８が補強される。このときには、レール固定体３８の第１挿入孔３８ａと補強板３９の第２挿入孔３９ａとが前側から後部側方に向けて傾いた状態で同一軸上に対応する。
【００７７】
また、このときには、後側固定部材４４の係止部４６のほぼＵ字形状に折り曲げられた箇所を側板４の後方に向けた状態で、この係止部４６を一対の側板４の各第２嵌合部２５における後部上側に設けられた金具取付部２５ａにビス４６ｂによって取り付ける。同様に、位置規制部材４５のフック部５０のほぼコ字形状に折り曲げられた箇所を側板４の第２嵌合部２５内における前端部２５ｃに接触または接近させた状態で、フック部５０を第２嵌合部２５内にビス５０ａによって取り付ける。
【００７８】
一方、楽器本体２の底板８における前側の下面両側に、前側固定部材３４の本体固定部３５を取り付ける。このときには、予め、前側固定部材３４の本体固定部３５を組み立てる。すなわち、本体固定部３５の楽器固定体４０の筒部４３内にねじ固定片４１を楽器固定体４０の取付部４２の開口部４２ａから挿入させて、ねじ固定片４１の上部４１ｂを取付部４２の装着凹部４２ｂ内に配置させて、ねじ固定片４１を筒部４３の後部側の内面に配置させる。
【００７９】
すると、楽器固定体４０の筒部４３に設けられた第３挿入孔４３ａとねじ固定片４１に設けられたねじ孔４１ａとが、前側から後部側方に向けて傾いた状態で同一軸上に対応する。これにより、本体固定部３５が組み立てられる。この本体固定部３５の取付部４２を楽器本体２の底板８における前側の下面両側に取り付ける。これにより、本体固定部３５が楽器本体２の底板８の下面における前部両側に取り付けられる。
【００８０】
また、このときには、後側固定部材４４の嵌合部４７が、そのほぼＵ字形状に折り曲げられた箇所の凹部側を前側に向けた状態で、一対の側壁部１０の各後側上部に一体に設けられている。また、位置規制部材４５の係合部５１は、楽器本体２の前側に向けた状態で、一対の側壁部１０の各前端部に一体に設けられている。
【００８１】
このような状態で、楽器本体２をスタンド３に取り付ける。この場合には、一対の側板４の対向面それぞれに設けられた各第２嵌合部２５に、楽器本体２の左右両側に位置する一対の側壁部１０の各第１嵌合部１０１を嵌め込む。このときには、一対の側板４を立ててスタンド３を起立させた状態で、このスタンド３の後方から楽器本体２の一対の側壁部１０における各第１嵌合部１０１を一対の側板４の各第２嵌合部２５に挿入させる。
【００８２】
この場合には、第２嵌合部２５の後部側における内部の上下方向の長さ（間口）が、第２嵌合部２５の前部側における内部の上下方向の長さよりも長く（広く）、かつ第２嵌合部２５内の後端部における上下方向の長さが側壁部１０の第１嵌合部１０１の前部側における上下方向の長さよりも長くなっている。このため、一対の側壁部１０の各第１嵌合部１０１の前部側を各第２嵌合部２５の後部側に余裕をもって容易にかつ良好に挿入させることができる。
【００８３】
また、一対の側壁部１０は、その前側部が先細形状に形成されていることにより、一対の側壁部１０の前部側を各第２嵌合部２５の後部に容易に挿入させることができる。すなわち、楽器本体２の側壁部１０における第１嵌合凹部１０３の前端部の左右方向の長さが、第１嵌合凹部１０３の後端部の左右方向の長さより短いので、一対の側壁部１０の各第１嵌合部１０１の前部側を各第２嵌合部２５の後部側に余裕をもって容易にかつ良好に挿入させることができる。
【００８４】
この場合には、楽器本体２の側壁部１０の第１嵌合凹部１０３における前部側の外側面に側面ガイド部２６に設けられているので、この側面ガイド部２６によって側壁部１０の前端部の厚みが薄くなっている。このため、楽器本体２の一対の側壁部１０における左右方向の両側に位置する各前端部間の長さが、スタンド３の一対の側板４それぞれに設けられた各第２嵌合部２５内の各対向面間の長さよりも短くなっている。
【００８５】
これにより、この鍵盤楽器では、楽器本体２の一対の側壁部１０の各第１嵌合部１０１を一対の側板４の各第２嵌合部２５に挿入させる際に、一対の側壁部１０の各前側部が先細形状に形成されていることにより、一対の側壁部１０の各第１嵌合部１０１の前部側を各第２嵌合部２５の後部側に余裕をもって容易にかつ良好に挿入させることができる。
【００８６】
このときには、ガイド部材３０のガイドレール３３に補助リブ３３ａが一対の側板４の各対向面側にそれぞれ突出しているので、一対の側板４間に楽器本体２を後方から挿入する際に、補助リブ３３ａに楽器本体２の両側に位置する一対の側壁部１０の下部を配置させることができる。このため、楽器本体２が不用意に落下するのを防ぐことができるので、安全性が確保される。
【００８７】
この状態で、楽器本体２の一対の側壁部１０における第１嵌合部１０１の各下部に設けられた各ガイド突起３１を、一対の側板４に取り付けられた各ガイドレール３３のレール突起片３３ｂと一対の側板４の各第２嵌合部２５の内面との間に形成されたガイド溝３２に配置させる。このときには、一対の側壁部１０の前側部が先細形状に形成されていることにより、一対の側壁部１０の各ガイド突起３１を一対の側板４の各第２嵌合部２５間に形成されたガイド溝３２に容易にかつ良好に配置させることができる。
【００８８】
このように、楽器本体２を一対の側板４の前側に向けて移動させると、一対の側壁部１０の各ガイド突起３１が一対の側板４の各第２嵌合部２５の内面との間に形成されたガイド溝３２に沿ってスライドする。このときには、一対の側壁部１０の各外側面に設けられた複数の横リブ２８ａの各外端部が複数の縦リブ２８ｂの外部側に位置する各外端部よりも側壁部１０の外部側に向けて突出している。
【００８９】
このため、一対の側壁部１０の各第１嵌合部１０１が一対の側板４の各第２嵌合部２５に挿入する際には、複数の縦リブ２８ｂが各第２嵌合部２５の内面に接触することがなく、複数の横リブ２８ａが各第２嵌合部２５の内面に沿ってスライドする。これにより、複数の縦リブ２８ｂが各第２嵌合部２５の内面を傷付けることがなく、複数の横リブ２８ａによって一対の側壁部１０を各第２嵌合部２５内に円滑にスライドさせて挿入させることができる。
【００９０】
このようにして、楽器本体２の一対の側壁部１０における各第１嵌合部１０１が一対の側板４の各第２嵌合部２５内に嵌合した際には、第１嵌合部１０１の第１嵌合凸部１０２が第２嵌合部２５の第２嵌合凹部２５２に配置され、第１嵌合部１０１の第１嵌合凹部１０３が第２嵌合部２５の第２嵌合凸部２５１に配置される。このため、第１嵌合部１０１の第１ガイド部１０４が第２嵌合部２５の第２ガイド部２５３に対応して配置される。
【００９１】
この状態では、第１嵌合部１０１の第１嵌合凸部１０２の上端部が、第２嵌合部２５の第２嵌合凹部２５２の第１上端部２５ｄに接触し、第２嵌合凹部２５２の第２上端部２５ｅに接触しない。このため、側壁部１０の上端部の前部側に設けられた上辺ガイド部２７が第２嵌合部２５の第２嵌合凹部２５２における第１上端部２５ｄの傾斜部２５ｂに密接すると共に、側壁部１０の前端部が第２嵌合部２５内の前端部２５ｃに当接または接近する。
【００９２】
また、このときには、楽器本体２に設けられた前側固定部材３４の本体固定部３５が一対の側板４に設けられた前側固定部材３４の側板固定部３６に対応して当接または接近する。また、楽器本体２の一対の側壁部１０に設けられた後側固定部材４４の嵌合部４７が一対の側板４に設けられた後側固定部材４４の係止部４６に対応して食い込むと共に、楽器本体２の一対の側壁部１０に設けられた位置規制部材４５の係合部５１が一対の側板４に設けられた位置規制部材４５のフック部５０に対応して食い込む。
【００９３】
この状態では、前側固定部材３４の本体固定部３５と側板固定部３６との各対向面が、楽器本体２の前部から後部側方に向けて傾いた状態で対応して当接または接近する。またこのときには、前側固定部材３４の側板固定部３６におけるレール固定体３８に設けられた第１挿入孔３８ａと、各側板固定部３６それぞれの補強板３９に設けられた第２挿入孔３９ａと、各本体固定部３５それぞれの楽器固定体４０の筒部４３に設けられた第３挿入孔４３ａと、各本体固定部３５それぞれのねじ固定片４１に設けられたねじ孔４１ａと、が前部から後部側方に向けて傾いた状態で同一軸上に対応する。
【００９４】
これにより、楽器本体２とスタンド３との前側から前側ねじ部材３７を、レール固定体３８の第１挿入孔３８ａと、補強板３９の第２挿入孔３９ａと、楽器固定体４０の筒部４３の第３挿入孔４３ａとに挿入させ、この挿入された前側ねじ部材３７をねじ固定片４１のねじ孔４１ａに螺合させて締め付ける。
【００９５】
すると、楽器固定体４０が側板固定部３６に引き寄せられて、楽器本体２がスタンド３に固定される。このときには、前側ねじ部材３７が楽器本体２の前部から後部側方に向けて傾いた状態で、前側固定部材３４の本体固定部３５と側板固定部３６とを楽器本体２の前部から後部側方に向けて傾いた状態で締め付ける。このため、スタンド３に対して楽器本体２がその前後方向に固定されると共に、スタンド３に対して楽器本体２がその左右方向にも同時に固定される。
【００９６】
また、この状態では、後側固定部材４４の係止部４６に設けられたねじ孔４６ａと後側固定部材４４の嵌合部４７に設けられたねじ挿入孔４７ａとがほぼ水平な状態で同一軸上に対応する。これにより、後側固定部材４４の後側ねじ部材４８を楽器本体２の後方から嵌合部４７のねじ挿入孔４７ａに挿入させ、この挿入された後側ねじ部材４８を係止部４６のねじ孔４６ａに螺合させて締め付ける。すると、係止部４６が嵌合部４７に更に食い込んだ状態で、一対の側壁部１０の後部が一対の側板４の後部に固定される。
【００９７】
さらに、この状態では、楽器本体２の一対の側壁部１０それぞれに設けられた位置規制部材４５の係合部５１が、一対の側板４それぞれに設けられた位置規制部材４５の各フック部５０に更に食い込んで嵌合する。このときには、係合部５１が側壁部１０における前端部に設けられた薄肉部であり、この薄肉部の表面に複数のガイドリブ５１ａが前後方向に沿って櫛歯状に配列されている。このため、これら複数のガイドリブ５１ａによって係合部５１がガイドされてフック部５０に食い込んで係止される。
【００９８】
これにより、位置規制部材４５は、一対の側板４それぞれの第２嵌合部２５に楽器本体２の一対の側壁部１０が一対の側板４の後端部側から挿入されて嵌合された際に、一対の側壁部１０の各係合部５１が一対の側板４の各フック部５０に食い込んで嵌合することにより、一対の側板４の各第２嵌合部２５内に対する一対の側壁部１０の位置を正確にかつ良好に規制することができる。
【００９９】
このため、一対の側板４に設けられた各第２嵌合部２５内に対する楽器本体２の一対の側壁部１０における各第１嵌合部１０１の嵌合位置が規制されることにより、第２嵌合部２５の前端部２５ｃ対する一対の側壁部１０における各第１嵌合部１０１の前端部の当接による衝撃によって、第２嵌合部２５の前端部２５ｃの破損を防いで、各第２嵌合部２５内に各側壁部１０の各第１嵌合部１０１を精度良く良好に嵌合させることができる。
【０１００】
このように、楽器本体２の両側に位置する一対の側壁部１０がスタンド３の一対の側板４間に取り付けられた際には、楽器本体２の左右方向に位置する天板１２の両端部が一対の側板４の上端部に配置されると共に、楽器本体２の左右方向に位置する背板１１の両端部が一対の側板４の各第２嵌合部２５における後端部内に配置される。このため、楽器本体２の一対の側壁部１０が外部から見えないように隠されるので、外観がスッキリし、デザイン性が高められる。
【０１０１】
このような鍵盤楽器を使用する場合には、まず、鍵盤蓋１６を楽器本体２内の後部側に収納させて鍵盤ユニット１を外部上方に露出させる。このときには、鍵盤蓋１６の前蓋１７と後蓋１８とを楽器本体２の後部側に向けて移動させる。すると、前蓋１７の前ガイド軸１７ａと後蓋１８の後ガイド軸１８ａとが側壁部１０の第１ガイド溝１０ａに沿って移動しながら、蝶番１９で後蓋１８が前蓋１７に対して後部下りに徐々に折れ曲がる。
【０１０２】
このときには、支持アーム２０が支持軸２１を中心に時計回りに回転して後蓋１８の後端部が押し下げられる。このため、鍵盤蓋１６は、図６に示すように、蝶番１９で折れ曲がった後蓋１８が背板１１に接近してほぼ平行に垂下され、前蓋１７が天板１２の下側にほぼ平行な状態で楽器本体２内の後部側に収納される。これにより、鍵盤ユニット１が前側上方に露出する。
【０１０３】
この状態では、楽器本体２から露出した鍵盤ユニット１の複数の鍵１４を押鍵操作して演奏をすることができる。すなわち、鍵盤ユニット１の複数の鍵１４を押鍵操作すると、押鍵操作された鍵１４に対応するハンマー部材１５が回転して、押鍵された鍵１４にアクション荷重が付与される。このため、アコースティックピアノの鍵タッチ感に近似した鍵タッチ感が得られるので、良好に演奏することができると共に、演奏に応じた楽音をスピーカ部２９から良好に放音させることができる。
【０１０４】
また、この鍵盤楽器で演奏しない場合には、鍵盤蓋１６の前蓋１７と後蓋１８とを楽器本体２の前側に向けて引き出して鍵盤ユニット１を覆うことができる。このときには、前蓋１７の前ガイド軸１７ａと後蓋１８の後ガイド軸１８ａとが側壁部１０の第１ガイド溝１０ａに沿って移動し、これに伴って支持アーム２０が支持軸２１を中心に反時計回りに回転して後蓋１８の後端部を押し上げる。これにより、鍵盤蓋１６が鍵盤ユニット１の上側に配置されて鍵盤ユニット１を覆う。
【０１０５】
このように、この鍵盤楽器によれば、側壁部１０に第１嵌合凸部１０２と、これよりも凹んでいる第１嵌合凹部１０３と、これらの間に設けられた第１ガイド部１０４と、を有する第１嵌合部１０１を備える楽器本体２と、この楽器本体２の側壁部１０を支持する側板４側に設けられ、第１嵌合凹部１０３に対応する第２嵌合凸部２５１と、第１嵌合凸部１０２に対応する第２嵌合凹部２５２と、これらの間に設けられて第１ガイド部１０４に対応する第２ガイド部２５３と、を有する第２嵌合部２５を備える側板４と、を備え、この側板４における後ろ側の第２嵌合凹部２５２の上下方向の長さが、側板４における前側の第２嵌合凹部２５２の上下方向の長さより長いので、楽器本体２とスタンド３の側板４とを嵌合させ易く、組立作業性の向上が図れる。
【０１０６】
すなわち、この鍵盤楽器では、スタンド３の一対の側板４に設けられた第２嵌合部２５における後ろ側の第２嵌合凹部２５２の上下方向の長さが、側板４の第２嵌合部２５における前側の第２嵌合凹部２５２の上下方向の長さより長くなっているので、楽器本体２を一対の側板４間に挿入する際に、一対の側壁部１０の各前端部を一対の側板４間に余裕をもって容易に挿入させることができ、これにより楽器本体２とスタンド３の側板４とを嵌合させ易くすることができるので、組立作業性の向上を図ることができる。
【０１０７】
また、この鍵盤楽器では、楽器本体２をスタンド３の側板４間に挿入させると、楽器本体２の側壁部１０の第１嵌合部１０１を側板４の第２嵌合部２５に嵌合させることができる。この場合には、第１嵌合部１０１の第１嵌合凸部１０２を第２嵌合部２５の第２嵌合凹部２５２に嵌合させることができ、第１嵌合部１０１の第１嵌合凹部１０３を第２嵌合部２５の第２嵌合凸部２５１に嵌合させることができ、第１嵌合部１０１の第１ガイド部１０４を第２嵌合部２５の第２ガイド部２５３に対応させて配置させることができる。
【０１０８】
また、この鍵盤楽器では、側板４における第２嵌合部２５の後ろ側が開放されていることにより、楽器本体２をスタンド３の側板４間に挿入させる際に、楽器本体２の側壁部１０の第１嵌合部１０１を側板４の第２嵌合部２５にその後ろ側から容易に挿入させることができる。また、側板４の第２嵌合部２５の前部側は、前端部２５ｃで塞がれていることにより、側壁部１０の第１嵌合部１０１が第２嵌合部２５内に嵌合された際に、側壁部１０が外部から見えないように、側壁部１０を良好に隠すことができ、これによりデザイン性を向上させることができる。
【０１０９】
この場合、楽器本体２は、天板１２の両端部が一対の側板４の上端部に配置され、背板１１の両端部が一対の側板４の各第２嵌合部２５における後端部内に配置されるため、一対の側壁部１０の上部および後端部を外部から見えないように確実に隠すことができ、これにより鍵盤楽器全体の外観をスッキリさせることができるので、より一層、デザイン性を高めることができる。
【０１１０】
また、この鍵盤楽器では、楽器本体２における第１嵌合部１０１の前側の上下方向の長さが、第２嵌合部２５の後ろ側の上下方向の長さより短いことにより、楽器本体２を一対の側板４間に配置する際に、側壁部１０の前端部を一対の側板４間に余裕をもって容易に挿入させることができ、これによっても楽器本体２をスタンド３の側板４間に挿入させ易くすることができるので、より一層、組立作業性の向上を図ることができる。
【０１１１】
また、この鍵盤楽器では、側板４における第２嵌合部２５の上端に、楽器本体２の第１嵌合部１０１と側板４の第２嵌合部２５とが嵌合されている状態において、第１嵌合部１０１と接触している第１上端部２５ｄと、この第１上端部２５ｄより後ろ側に配置され、第１嵌合部１０１と接触していない第２上端部２５ｅと、を有していることにより、楽器本体２の第１嵌合部１０１を側板４の第２嵌合部２５にその後ろ側から良好に嵌合させることができる。
【０１１２】
すなわち、この鍵盤楽器では、楽器本体２の第１嵌合部１０１を側板４の第２嵌合部２５にその後ろ側から嵌合させる際に、第２嵌合部２５の上端に設けられた第２上端部２５ｅが第１嵌合部１０１と接触しないため、楽器本体２の第１嵌合部１０１を側板４の第２嵌合部２５に円滑に挿入させることができ、これにより楽器本体２の第１嵌合部１０１を側板４の第２嵌合部２５に嵌合させた際に、第２嵌合部２５の上端に設けられた第１上端部２５ｄを第１嵌合部１０１に確実に接触させて密接させることができる。
【０１１３】
また、この鍵盤楽器では、側板４の第２嵌合部２５の下側に補助リブ３３ａが設けられたガイドレール３３を有していることにより、楽器本体２を側板４間に配置する際に、ガイドレール３３によって側壁部１０を円滑にかつ良好にガイドすることができ、これにより側壁部１０の第１嵌合部１０１を側板４の第２嵌合部２５に確実にかつ良好に嵌合させることができる。
【０１１４】
この場合、ガイドレール３３は、側板４にその前後方向に沿って取り付けられて、第２嵌合部２５との間に側壁部１０のガイド突起３１をガイドするためのガイド溝３２を形成しているので、楽器本体２を側板４間に挿入する際に、ガイド溝３２によって側壁部１０のガイド突起３１を円滑にかつ良好にガイドすることができ、これにより側壁部１０の第１嵌合部１０１を側板４の第２嵌合部２５に確実にかつ良好に嵌合させることができる。
【０１１５】
また、ガイドレール３３には、補助リブ３３ａが側壁部１０に対向する側板４の対向面側に向けて突出して設けられているので、側板４間に楽器本体２を挿入する際に、補助リブ３３ａに楽器本体２の側壁部１０の下部を配置させることができ、これにより楽器本体２を側板４間に挿入するときに、楽器本体２の不用意な落下を防ぐことができるので、安全性を確保することができる。
【０１１６】
また、この鍵盤楽器では、楽器本体２の側壁部１０における第１嵌合凹部１０３の前端の左右方向の長さが、第１嵌合凹部１０３の後端の左右方向の長さより短いことにより、これによっても楽器本体２の前部側を側板４間にその後ろ側から挿入させる際に、楽器本体２の前部側を側板４間に余裕をもって容易に挿入させることができる。
【０１１７】
この場合、側壁部１０の第１嵌合部１０１における第１嵌合凸部１０２の外側面には、スタンド３に対する楽器本体２の挿入側に位置する第１嵌合凸部１０２の前端部における楽器本体２の左右方向の厚みが薄く、第１嵌合凸部１０２の後端部における楽器本体２の左右方向の厚みが第１嵌合凸部１０２の前端部から次第に厚くなる傾斜状の側面ガイド部２６が設けられているので、この側面ガイド部２６によって、楽器本体２の前端部における左右方向の長さを、側板４間の長さよりも徐々に短くすることができる。
【０１１８】
このため、この鍵盤楽器では、楽器本体２の前部側を側板４間にその後ろ側から挿入させる際に、第２嵌合部２５の第２嵌合凸部２５１が第２嵌合凹部２５２よりも側板４の厚み方向の深さが浅くても、第１嵌合凸部１０２の側面ガイド部２６によって楽器本体２の前部側を側板４間に余裕をもって円滑に挿入させることができる。
【０１１９】
また、この鍵盤楽器では、側壁部１０の第１嵌合凹部１０３の外側面に、その前後方向に沿って設けられた複数の横リブ２８ａと、側壁部１０の上下方向に沿って設けられた複数の縦リブ２８ｂとが、格子状に設けられているので、側壁部１０の厚みを薄く形成しても、側壁部１０の強度を十分に確保することができる。このため、側壁部１０の重量を軽くすることができると共に、楽器本体２全体の重量を軽くすることができる。
【０１２０】
この場合、複数の横リブ２８ａは、側壁部１０の外部側に位置する各外端部が、複数の縦リブ２８ｂの外部側に位置する各外端部よりも、側壁部１０の外部側に向けて突出して設けられていることにより、一対の側壁部１０を一対の側板４の各第２嵌合部２５に挿入する際に、複数の縦リブ２８ｂを各第２嵌合部２５の内面に接触させずに、複数の横リブ２８ａを各第２嵌合部２５の内面に沿って円滑にかつ良好にスライドさせることができる。
【０１２１】
このため、この鍵盤楽器では、一対の側壁部１０を一対の側板４の各第２嵌合部２５に挿入する際に、複数の縦リブ２８ｂが各第２嵌合部２５の内面を傷付けることがなく、複数の横リブ２８ａによって一対の側壁部１０を各第２嵌合部２５内に円滑にかつ良好にスライドさせて挿入させることができる。
【０１２２】
また、この鍵盤楽器では、楽器本体２の前側下部とこれに対応する一対の側板４の前側部とを楽器本体２およびスタンド３の前側から固定する前側固定部材３４を備えていることにより、楽器本体２の一対の側壁部１０を一対の側板４に設けられた各第２嵌合部２５に嵌合させた状態で、前側固定部材３４によって楽器本体２とスタンド３との前側から、楽器本体２の前側下部とこれに対応する一対の側板４の前側部とを固定することができる。
【０１２３】
このため、この鍵盤楽器では、楽器本体２の前側下部とこれに対応する一対の側板４の前側部とを固定する際に、楽器本体２の下側に潜り込んで、楽器本体２をスタンド３に固定する必要がないので、これによっても組立作業性が良く、確実にかつ良好に楽器本体をスタンドに組み付けることができる。
【０１２４】
この場合、前側固定部材３４は、スタンド３の一対の側板４に対して楽器本体２をその前後方向とこれと直交する左右方向とに固定することにより、前側固定部材３４によって楽器本体２を一対の側板４に対してその前後方向とこれと直交する左右方向との２方向に確実にかつ良好に固定させることができる。
【０１２５】
また、この鍵盤楽器では、楽器本体２の一対の側壁部１０における各後端部とこれに対応する一対の側板４の各後端部とを楽器本体２の後方から固定する後側固定部材４４を備えていることにより、楽器本体２の下側に潜り込むことなく、楽器本体２の後方から、一対の側壁部１０の各後端部と一対の側板４の各後端部とを容易にかつ良好に固定することができ、これによっても組立作業性が良く、確実にかつ良好に楽器本体をスタンドに組み付けることができる。
【０１２６】
さらに、この鍵盤楽器では、一対の側板４に設けられた各第２嵌合部２５内に対する楽器本体２の一対の側壁部１０の位置を規制する位置規制部材４５を備えていることにより、楽器本体２の一対の側壁部１０を一対の側板４に設けられた各第２嵌合部２５内に配置させた際に、楽器本体２の一対の側壁部１０を一対の側板４の各第２嵌合部２５内に正確にかつ良好に位置規制することができる。
【０１２７】
なお、上述した実施形態では、楽器本体２の一対の側壁部１０における第１嵌合部１０１の前側部に設けられた側面ガイド部２６と上辺ガイド部２７とが直線的な傾斜部に形成されている場合について述べたが、この発明はこれに限らず、例えば、順次段差をもって傾斜する階段状の傾斜部であっても良く、また緩やかに湾曲する湾曲部であっても良い。
【０１２８】
また、上述した実施形態では、スタンド３の一対の側板の各対向面に第２嵌合部２５をそれぞれ設けた場合について述べたが、この発明はこれに限らず、例えば一対の側板の各対向面のうち、一方の側板４の対向面のみに第２嵌合部２５を設けた構造であっても良い。
【０１２９】
また、上述した実施形態では、スタンド３の一対の側板の各対向面に第２嵌合部２５をそれぞれ設けた場合について述べたが、この発明は必ずしも側板に第２嵌合部２５を設ける必要はなく、一対の側板の各対向面にガイドレール３３を設けた構造であっても良い。この場合には、必ずしもスタンド３の後側から楽器本体２を挿入させる必要はなく、スタンド３の前側から楽器本体を挿入させても良く、またスタンド３の上方から楽器本体２を挿入させて良い。
【０１３０】
さらに、上述した実施形態では、前側固定部材３４の本体固定部３５と側板固定部３６とを前側ねじ部材３７によって締結する際に、前側ねじ部材３７を楽器本体の前側か後部側方に向けて傾けた状態で締結した場合について述べたが、この発明はこれに限らず、例えば、前側ねじ部材３７を楽器本体の前側か後部側方に向けて傾けた状態で、更に前側から後部上方に向けて傾けることにより、前側ねじ部材３７を３次元方向に傾けた状態で本体固定部３５と側板固定部３６とを締結するようにしても良い。
【０１３１】
このように前側ねじ部材３７を３次元方向に傾けた状態で本体固定部３５と側板固定部３６とを締結した場合には、楽器本体２をスタンド３に対してその前後方向と左右方向と上下方向との３方向に固定することができるので、上述した実施形態の場合よりも強固にかつ効率良く楽器本体２をスタンド３に取り付けることができる。
【０１３２】
また、上述した実施形態では、本体固定部３５を楽器本体２の底板８の下面における前側部に設け、側板固定部３６を側板４の対向面における前側部に設けた場合について述べたが、この発明はこれに限らず、例えば、本体固定部３５を楽器本体２の底板８の下面における後側部に設け、側板固定部３６を側板４の対向面における後側部に設け、楽器本体２の後方から前側ねじ部材３７によって本体固定部３５と側板固定部３６とを固定するように構成しても良い。
【０１３３】
また、上述した実施形態では、前側固定部材３４と後側固定部材４４とで楽器本体２をスタンド３に固定した場合について述べたが、この発明はこれに限らず、例えば、前側固定部材３４のみで楽器本体２をスタンド３に固定しても良く、また後側固定部材４４のみで楽器本体２をスタンド３に固定しても良い。
【０１３４】
なおまた、上述した実施形態では、楽器本体２をスタンドに取り付ける際に、楽器本体２をスタンドに対して移動させたが、この発明はこれに限らず、例えばスタンド３を楽器本体２に対して移動させても良く、また楽器本体２とスタンド３との両方を移動させても良い。
【０１３５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【０１３６】
（付記）
請求項１に記載の発明は、少なくとも一側面に第１嵌合凸部と、前記第１嵌合凸部より凹んでいる第１嵌合凹部と、前記第１嵌合凸部及び前記第１嵌合凹部の間に設けられている第１ガイド部と、を有する第１嵌合部を備える楽器本体と、前記楽器本体の前記一側面を支持する側板側に設けられ、前記第１嵌合凹部に対応する第２嵌合凸部と、前記第１嵌合凸部に対応する第２嵌合凹部と、前記第２嵌合凸部及び前記第２嵌合凹部の間に設けられ、前記第１ガイド部に対応する第２ガイド部と、を有する第２嵌合部を備える側板と、を備え、前記側板における後ろ側の前記第２嵌合凹部の上下方向の長さは、前記側板における前側の前記第２嵌合凹部の上下方向の長さより長いことを特徴とする鍵盤楽器である。
【０１３７】
請求項２に記載の発明は、請求項１に記載の鍵盤楽器において、前記側板における前記第２嵌合部の後ろ側は開放されていることを特徴とする鍵盤楽器である。
【０１３８】
請求項３に記載の発明は、請求項１または請求項２に記載の鍵盤楽器において、前記楽器本体における前記第１嵌合部の前側の上下方向の長さは、前記第２嵌合凹部の後ろ側の上下方向の長さより短いことを特徴とする鍵盤楽器である。
【０１３９】
請求項４に記載の発明は、請求項１〜請求項３のいずれかに記載の鍵盤楽器において、前記側板における前記第２嵌合部の上端は、前記楽器本体の前記第１嵌合部と嵌合されている状態において、前記第１嵌合部と接触している第１上端部と、前記第１上端部より後ろ側に配置され、前記第１嵌合部と接触していない第２上端部と、を有していることを特徴とする鍵盤楽器である。
【０１４０】
請求項５に記載の発明は、請求項１〜請求項４のいずれかに記載の鍵盤楽器において、前記側板の前記第２嵌合部の下側に補助リブが設けられたガイドレールを有することを特徴とする鍵盤楽器である。
【０１４１】
請求項６に記載の発明は、請求項１〜請求項５のいずれかに記載の鍵盤楽器において、前記楽器本体における前記第１嵌合凹部の前端の左右方向の長さは、前記第１嵌合凹部の後端の左右方向の長さより短いことを特徴とする鍵盤楽器である。
【０１４２】
請求項７に記載の発明は、請求項１〜請求項６のいずれかに記載の鍵盤楽器において、前記第１嵌合凹部には、前後方向に沿って設けられた複数の横リブと、上下方向に沿って設けられた複数の縦リブとが、格子状に設けられ、前記複数の横リブは前記複数の縦リブよりも前記楽器本体の側面の外側に向けて突出して設けられていることを特徴とする鍵盤楽器である。
【符号の説明】
【０１４３】
１  鍵盤ユニット
２  楽器本体
３  スタンド
４  側板
１０  側壁部
１０１  第１嵌合部
１０２  第１嵌合凸部
１０３  第１嵌合凹部
１０４  第１ガイド部
２５  第２嵌合部
２５１  第２嵌合凸部
２５２  第２嵌合凹部
２５３  第２ガイド部
２５ｄ  第１上端部
２５ｅ  第２上端部
２６  側面ガイド部
２７  上辺ガイド部
２８ａ  横リブ
２８ｂ  縦リブ
３０  ガイド部材
３１  ガイド突起
３２  ガイド溝
３３  ガイドレール
３３ａ  補助リブ
３４  前側固定部材
３５  本体固定部
３６  側板固定部
３７  前側ねじ部材
３８  レール固定体
３８ａ  第１挿入孔
３９  補強板
３９ａ  第２挿入孔
４０  楽器固定体
４１  ねじ固定片
４１ａ  ねじ孔
４２  取付部
４３  筒部
４３ａ  第３挿入孔
４４  後側固定部材
４５  位置規制部材
４６  係止部
４６ａ  ねじ孔
４７  嵌合部
４７ａ  ねじ挿入孔
４８  後側ねじ部材
５０  フック部
５１  係合部
【図１】
2018205469.tif 000003
【図２】
2018205469.tif 000004
【図３】
2018205469.tif 000005
【図４】
2018205469.tif 000006
【図５】
2018205469.tif 000007
【図６】
2018205469.tif 000008
【図７】
2018205469.tif 000009
【図８】
2018205469.tif 000010
【図９】
2018205469.tif 000011
【図１０】
2018205469.tif 000012
【図１１】
2018205469.tif 000013
【図１２】
2018205469.tif 000014
【図１３】
2018205469.tif 000015
【図１４】
2018205469.tif 000016
【図１５】
2018205469.tif 000017